(57)【要約】【課題】脳室穿刺の際に針や管を所定の方向に正確に導くことを可能にする簡易な頭部手術補助器具を提供する。【解決手段】頭部手術補助器具１０は、患者頭部に対して頭部手術補助器具１０をセットするための開口部２０を有するベース１２と、患者頭部への脳室穿刺における刺入方向の目印のための光線を第１の方向に出射するレーザーポインター１４と、開口部２０を存して第１の方向において互いに対向して配置された第１の位置合わせ部１６及び第２の位置合わせ部１８と、を備える。第１の位置合わせ部１６及び第２の位置合わせ部１８は、患者頭部において刺入方向に沿った位置に設定されている第１のポイント及び第２のポイントにそれぞれ位置合わせ可能に構成されている。【選択図】図１
2019141250.tif 000002
【特許請求の範囲】
【請求項１】
頭部手術補助器具であって、
患者頭部に対して当該頭部手術補助器具をセットするための開口部を有するベースと、
前記ベースに設けられ、前記患者頭部への脳室穿刺における刺入方向の目印のための光線を第１の方向に出射する光学装置と、
前記開口部を存して前記第１の方向において互いに対向して配置された第１の位置合わせ部及び第２の位置合わせ部と、を備え、
前記第１の位置合わせ部及び第２の位置合わせ部は、前記患者頭部において前記刺入方向に沿った位置に設定されている第１のポイント及び第２のポイントにそれぞれ位置合わせ可能に構成されている、頭部手術補助器具。
【請求項２】
前記第１の位置合わせ部及び第２の位置合わせ部には、緩衝材が設けられている、請求項１に記載の頭部手術補助器具。
【請求項３】
前記光学装置は、前記第１の方向の一端側に前記第１の位置合わせ部を有し、かつ、前記第１の方向の他端側から前記光線を出射可能に構成されている、請求項１又は２に記載の頭部手術補助器具。
【請求項４】
前記光学装置は、前記ベースに対して、前記第１の方向にスライド可能に構成されている、請求項３に記載の頭部手術補助器具。
【請求項５】
前記光学装置は、レーザーポインターである、請求項１から４のいずれか一項に記載の頭部手術補助器具。
【請求項６】
前記脳室穿刺は、水頭症治療時の脳室心房短絡術（ＶＡシャント術）又は脳室腹腔短絡術（ＶＰシャント術）の際に行われる、請求項１から５のいずれか一項に記載の頭部手術補助器具。
【発明の詳細な説明】
【技術分野】
【０００１】
本発明は、患者頭部への脳室穿刺のために用いられる頭部手術補助器具に関する。
【背景技術】
【０００２】
頭蓋内に過剰に脳脊髄液（以下、単に「髄液」という。）がたまる水頭症の治療として、シャント手術を行うことが知られている。シャント手術には主に３つの方法がある。それは、脳室から髄液を腹腔に導く脳室腹腔短絡術（ＶＰシャント術）、脳室から心房に髄液を導く脳室心房短絡術（ＶＡシャント術）、及び、腰椎くも膜下腔から腹腔へ髄液を導く腰椎腹腔短絡術（ＬＰシャント術）である。このうち、ＶＰシャント術及びＶＡシャント術では、患者頭部への脳室穿刺が行われる。
【０００３】
脳室穿刺では、例えば、まず脳室穿刺針を脳室に刺し、脳室穿刺針から髄液が十分流出することを確認した後、脳室穿刺針をいったん引き抜く。そして、脳室カテーテル先端のスリットに脳室穿刺針を入れ、脳室カテーテルを脳室穿刺針とともに、先ほど穿刺した方向と同じ向きに脳室に穿刺する。その後、髄液が流出することを確認した後、脳室穿刺針だけを引き抜くようにする（例えば、非特許文献１参照）。
【０００４】
脳室カテーテルを脳室に入れる手術は１００年以上前から行われており、ＣＴやコンピュータの進歩により、正確に脳室穿刺針や脳室カテーテルを入れるための装置の利用も可能になっている（例えば特許文献１〜３参照）。しかし、このような装置は、脳内の特定の場所にある病変に、針や管を正確にアプローチするためのものである。このため、大がかりで高価である上、針や管を入れる位置を決めるために時間と手間がかかる。      
【先行技術文献】
【特許文献】
【０００５】
【特許文献１】特公平３−４４５２６号公報
【特許文献２】特許第２８９４６９４号
【特許文献３】特開平６−１３３９８５号公報
【非特許文献】
【０００６】
【非特許文献１】▲高▼木清「特発性正常圧水頭症の診断と治療について」（東機貿、２０１６）
【発明の概要】
【発明が解決しようとする課題】
【０００７】
水頭症における脳室穿刺では、ピンポイントの位置の精度は要求されず、むしろ、針や管を入れる方向が正しいことが求められる。しかし、シャント手術中は患者頭部を不透明な無菌布で覆うため、脳室穿刺の際にどの方向に刺せば良いのか分からなくなることがある。仮に、この方向がわからない状態で脳室カテーテルを穿刺すると、脳室とは異なる場所に入ってしまうおそれがある。例えば、図５及び６は、脳室カテーテル７０の先端が脳室になく、脳室カテーテル７０が誤った位置に穿刺された様子を示している。これでは手術の効果が期待できない。本来は、図４Ｆに示すように、脳室カテーテル７０の先端が脳室に位置するようにする必要がある。
【０００８】
したがって、頭部を不透明な無菌布で覆う前に、あらかじめ針や管をどの方向に入れるかを決めておくことが重要である。上記の非特許文献１には、この方向を決めるために、ＯＭライン（Orbitmeatal base line：-眼窩外耳孔線）に平行にレーザーポインターで外耳孔から臥位眼窩裂に向かってレーザービームを照射し、手術室の壁に目印をつけ、その目印に向けて脳室穿刺を行うことが記載されている。しかし、このようなレーザーポインターの使用も医師の技量に左右されることがある。
【０００９】
本発明は、脳室穿刺の際に針や管を所定の方向に正確に導くことを可能にする簡易な頭部手術補助器具を提供することを目的とする。
【課題を解決するための手段】
【００１０】
本発明の一態様に係る頭部手術補助器具は、患者頭部に対して当該頭部手術補助器具をセットするための開口部を有するベースと、ベースに設けられ、患者頭部への脳室穿刺における刺入方向の目印のための光線を第１の方向に出射する光学装置と、開口部を存して第１の方向において互いに対向して配置された第１の位置合わせ部及び第２の位置合わせ部と、を備え、第１の位置合わせ部及び第２の位置合わせ部は、患者頭部において刺入方向に沿った位置に設定されている第１のポイント及び第２のポイントにそれぞれ位置合わせ可能に構成されている。
【００１１】
この態様によれば、使用に際し、患者頭部に対して開口部を介して頭部手術補助器具をセットし、第１の位置合わせ部及び第２の位置合わせ部をそれぞれ患者頭部の第１のポイント及び第２のポイントに位置合わせする。これにより、第１の位置合わせ部と第２の位置合わせ部とを結ぶ直線は、脳室穿刺における刺入方向に沿ったものとなる。この状態で光学装置から光線を出射すると、光線は刺入方向に沿って出射される。この光線があたる箇所にマーカを付けた後、頭部手術補助器具を患者頭部から外す。そして脳室穿刺を行う際に、このマーカを目印として針や管を脳室に刺入すれば、針や管を所定の刺入方向に正確に導入することができる。このように、非常に簡易な構成の頭部手術補助器具によって、脳室穿刺の際に役立つ刺入方向の目印をつけておくことができる。
【００１２】
第１の位置合わせ部及び第２の位置合わせ部には、緩衝材が設けられているとよい。この態様によれば、患者頭部に位置合わせする際に第１の位置合わせ部及び第２の位置合わせ部の緩衝材が患者頭部に対して変形し得るので、位置合わせの作業がし易い上、患者頭部に対するあたり（衝撃）を緩和することができる。
【００１３】
光学装置は、第１の方向の一端側に第１の位置合わせ部を有し、かつ、第１の方向の他端側から光線を出射可能に構成されているとよい。この態様によれば、光学装置を有効に利用して、第１の位置合わせ部を光線の出射方向（第１の方向）に沿った位置に簡単に設けることができる。
【００１４】
光学装置は、ベースに対して、第１の方向にスライド可能に構成されているとよい。この態様によれば、患者頭部の大きさに応じて、第１の位置合わせ部を第１の方向に移動させることができる。これにより、患者頭部の大きさに関わらず、第１の位置合わせ部及び第２の位置合わせ部をそれぞれ患者頭部の第１のポイント及び第２のポイントに位置合わせすることができる。すなわち、頭部手術補助器具として、患者頭部の大きさに応じたサイズ違いのものを複数用意しなくて済む。
【００１５】
光学装置は、レーザーポインターであるとよい。この態様によれば、非常に簡易かつ取扱いが容易のもので光学装置を構成することができる。
【発明の効果】
【００１６】
本発明の頭部手術補助器具によれば、簡易な構成で、脳室穿刺の際に針や管を所定の方向に正確に導くことができる。
【図面の簡単な説明】
【００１７】
【図１】実施形態に係る頭部手術補助器具の平面図である。
【図２】図１の頭部手術補助器具において、光学装置を外側にスライドさせた平面図である。
【図３】患者頭部を模式的に示す平面図である。
【図４Ａ】ＶＡシャント術又はＶＰシャント術において、患者頭部のＣＭライン上に金属棒をおいた状態を示す図である。
【図４Ｂ】図４Ａのスカウトビューである。
【図４Ｃ】図４Ａの金属棒に平行に撮ったＣＴの画像である。
【図４Ｄ】図４ＣのＣＴの画像に第１のポイント及び第２のポイントを設定する様子を説明するＣＴの画像である。
【図４Ｅ】図１の頭部手術補助器具を使用する様子を示す斜視図である。
【図４Ｆ】脳室カテーテルが正しい位置に穿刺された様子を示すＣＴの画像である。
【図５】脳室カテーテルが誤った位置に穿刺された様子を示すＣＴの画像である。
【図６】脳室カテーテルが誤った位置に穿刺された別の様子を示すＣＴの画像である。
【発明を実施するための形態】
【００１８】
添付図面を参照して、本発明の好適な実施形態に係る頭部手術補助器具について説明する。説明の便宜上、前後左右及び上下に関しては、図１及び２に示すものを基準にしている。各図において、同一の符号を付したものは、同一の又は同様の構成を有する。
【００１９】
図１及び２に示すように、頭部手術補助器具１０は、ベース１２、レーザーポインター１４、第１位置合わせ部１６及び第２位置合わせ部１８を備えている。
【００２０】
ベース１２は、開口部２０を有するプレート状の部材で構成されている。ベース１２は、左右対称に形成されており、開口部２０の両側にそれぞれ取付け部２２ａ、２２ｂを有している。開口部２０は、長方形のベース１２の下側中央部を半円形に切り欠くことで形成されている。したがって別の見方をすると、ベース１２は、全体として略Ｕ字に形成され、その略Ｕ字の一対の先端側に取付け部２２ａ、２２ｂを構成している。開口部２０の半円形の直径は例えば２０ｃｍであり、開口部２０は患者頭部に対して頭部手術補助器具１０をセットするために利用される。具体的には、開口部２０の奥部２０ａが患者頭部の頭頂部に向けられるように、開口部２０の内側に患者頭部が位置する。このとき、患者頭部の前後に取付け部２２ａ、２２ｂがそれぞれ位置する。ベース１２の上半部２４は、例えば、医師が頭部手術補助器具１０を持ち運ぶ際に把持するエリアとして使用される。ベース１２は、木材で形成することもできるが、手術の衛生面を考慮すると、例えばプラスチックで形成することが好ましい。
【００２１】
レーザーポインター１４は、ベース１２に設けられている。具体的には、レーザーポインター１４は、取付け部２２ａの左右方向に延びる端面３０ａに設けられている。また、レーザーポインター１４は、ベース１２に対して左右方向にスライド可能となるように、取付け部２２ａの端面３０ａに設けられている（参照：図２）。レーザーポインター１４は、ベース１２の外側に向けてレーザー光線を左右方向（第１の方向）に出射する。具体的には、レーザーポインター１４は、左右方向の右端側から右方向に向けてレーザー光線を出射する。このレーザー光線は、患者頭部への脳室穿刺における刺入方向の目印のために利用される。
【００２２】
第１位置合わせ部１６及び第２位置合わせ部１８は、開口部２０を存して左右方向において互いに対向して配置されている。第１位置合わせ部１６は、レーザーポインター１４の左右方向の左端側に設けられている。したがって、第１位置合わせ部１６は、レーザーポインター１４の左右方向のスライド移動に伴って、左右方向にスライド移動するようになっている。第２位置合わせ部１８は、取付け部２２ｂの左右方向に延びる端面３０ｂに設けられている。第２位置合わせ部１８は、例えば丸棒状の取付け部材３２の一端（開口部２０側の右端）に設けられ、この取付け部材３２を介して取付け部２２ｂの端面３０ｂに固定することができる。この場合、取付け部材３２の他端（左端）をベース１２の外側に位置させてもよい。第１位置合わせ部１６及び第２位置合わせ部１８は、レーザーポインター１４及び取付け部材３２とともに同一直線上（直線Ｘ−Ｘ上）に配置される。この直線Ｘ−Ｘは、レーザーポインター１４のレーザー光線の出射方向に沿っている。
【００２３】
第１位置合わせ部１６及び第２位置合わせ部１８は、患者頭部における二つのポイントにそれぞれ位置合わせ可能に構成されている。具体的には、図３に示すように、患者頭部４０には、脳室穿刺における刺入方向に沿った位置に第１のポイント４１及び第２のポイント４２が設定される。詳細は後述するように、第１のポイント４１及び第２のポイント４２は、頭部手術補助器具１０を使用する前に患者頭部の前後に設定される。頭部手術補助器具１０を使用する際に、第１のポイント４１に第１位置合わせ部１６を位置合わせし、かつ、第２のポイント４２に第２位置合わせ部１８を位置合わせする。これにより、第１の位置合わせ部１６と第２の位置合わせ部１８とを結ぶ直線上に位置するレーザーポインター１４が、脳室穿刺における刺入方向（直線Ｘ−Ｘ）に沿ってレーザー光線を出射することが可能となる。
【００２４】
第１位置合わせ部１６及び第２位置合わせ部１８は、剛体の部材で構成することができる。ただし、位置合わせの際の患者頭部に対するあたり（衝撃）を緩和する観点からすると、第１位置合わせ部１６及び第２位置合わせ部１８には、柔軟性、衝撃吸収性又は可撓性を有する緩衝材が設けられるとよい。緩衝材の材質は、特に限定されるものではなく、例えばウレタンを用いることができる。
【００２５】
図３及び４を参照して、頭部手術補助器具１０の使用方法について説明する。頭部手術として、例えば、水頭症治療時の脳室心房短絡術（ＶＡシャント術）や脳室腹腔短絡術（ＶＰシャント術）がある。ここでは、ＶＡシャント術を例に説明する。
【００２６】
まず、頭部手術補助器具１０の使用前に、患者頭部４０に上記の第１のポイント４１及び第２のポイント４２を設定する。第２のポイント４２は、ＶＡシャント術の際に脳室カテーテルを刺入するバーホールとなる箇所である。第２のポイント４２は、非特許文献１に記載されているように、例えば次のように設定される。まず、ＣＴ室で患者のＣＭラインから４５°の直線を後上方に引き、この直線とＣＭラインと平行に上へ６ｃｍに引いた直線との交点を仮の第２のポイント４２としてマーキングする。この仮のマーキングは、例えば放射性吸収物質の小さな球を患者頭部に貼り付けることで行う。これに前後して、図４Ａに示すように、患者のＣＭライン上に金属棒５０をおく。すると、図４Ｂに示すように、ＣＴのスカウトビューに金属棒５０及び放射性吸収物質の小さな球５２が映ることになる。
【００２７】
次に、金属棒５０と平行にＣＴの画像を撮る。これを図４Ｃに示す。図４Ｃに示すように、球５２が患者頭部の後側に写っている。球５２の位置が脳表接線と垂直に引いた直線が側脳室後角の最大部分の後端に当たっている場合には、球５２の位置を第２のポイント４２として本設定する。そうではない場合には、球５２の位置から脳表に垂直に下した直線が側脳室後角の最大部分の後端に当たるように位置決めを修正し、その修正した点を第２のポイント４２として設定する。
【００２８】
次に、第１のポイント４１を設定する。第１のポイント４１は、第２のポイント４２を設定したＣＴの画像に基づいて設定される。具体的には、図４Ｄに示すように、第２のポイント４２から、頭部の反対側（例えば第２ポイントが右側であれば左側）に向けて、脳室の中を最も長く通過するように引いた直線が、頭部の反対側（例えば第２ポイントが後頭部であれば前頭部）に交わる位置に第１のポイント４１が設定される（参照：図３）。第１のポイント４１と第２のポイント４２とを結ぶ直線は、ＶＡシャント術の際に行う脳室穿刺における刺入方向を定義するものである。以上により、頭部手術補助器具１０を使用する準備が整う。
【００２９】
図４Ｅに示すように、頭部手術補助器具１０を使用する際、医者５５は、ベース１２の開口部２０を患者頭部に向け、その内側に患者頭部が位置するようにする。そして、第１のポイント４１及び第２のポイント４２に対して、それぞれ第１位置合わせ部１６及び第２位置合わせ部１８を位置合わせする。このとき、第２のポイント４２に第２位置合わせ部１８を接触させながら、レーザーポインター１４をスライド移動させ、第１のポイント４１に第１位置合わせ部１６を接触させる。これにより、患者頭部の前後が第１位置合わせ部１６及び第２位置合わせ部１８で挟まれるようになる。次いで、レーザーポインター１４を作動させ、レーザー光線を出射させる。レーザー光線は、第１のポイント４１と第２のポイント４２とを結ぶ直線、すなわち上記のように予め定義した脳室穿刺における刺入方向に沿って出射される。そして、レーザー光線があたった手術室の箇所（例えば壁や床）に目印６０を付けた後、頭部手術補助器具１０を患者頭部から外す。
【００３０】
その後のＶＡシャント術では、例えば、第２のポイント４２を中心に患者頭皮の皮切が行われ、患者頭部が不透明な無菌布で覆われ、この皮切の正中にバーホールが開けられる。その後にバーホールを介して脳室穿刺を行う際、上記の目印６０に向けて、脳室穿刺針を脳室へと刺入し、また、脳室カテーテルを脳室へと刺入する。このとき、脳室穿刺針や脳室カテーテルは上記の所定の刺入方向に正確に導入される。これにより、図４Ｆに示すように、脳室カテーテル７０が脳室内の正しい位置に穿刺される。
【００３１】
このように、実施形態に係る頭部手術補助器具１０によれば、非常に簡易な構成により、脳室穿刺の際に役立つ刺入方向の目印をつけておくことができる。
【００３２】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。例えば、レーザーポインター１４以外の光学装置を用いてもよい。
【符号の説明】
【００３３】
１０…頭部手術補助器具、１２…ベース、１４…レーザーポインター（光学装置）、１６…第１位置合わせ部、１８…第２位置合わせ部、２０…開口部、２２ａ、２２ｂ…取付け部、２４…上半部、３０ａ、３０ｂ…端面、３２…取付け部材、４０…患者頭部、４１…第１のポイント、４２…第２のポイント、５０…金属棒、５２…球、５５…医者、６０…目印、７０…脳室カテーテル
【図１】
2019141250.tif 000003
【図２】
2019141250.tif 000004
【図３】
2019141250.tif 000005
【図４Ａ】
2019141250.tif 000006
【図４Ｂ】
2019141250.tif 000007
【図４Ｃ】
2019141250.tif 000008
【図４Ｄ】
2019141250.tif 000009
【図４Ｅ】
2019141250.tif 000010
【図４Ｆ】
2019141250.tif 000011
【図５】
2019141250.tif 000012
【図６】
2019141250.tif 000013
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
頭部手術補助器具であって、
患者頭部に対して当該頭部手術補助器具をセットするための開口部を有するベースと、
前記ベースに設けられた光学装置であって、前記患者頭部への脳室穿刺における刺入方向の目印のための光線を前記ベースの外側に向けて第１の方向に出射する光学装置と、
前記開口部を存して前記第１の方向において互いに対向して配置された第１の位置合わせ部及び第２の位置合わせ部と、を備え、
前記第１の位置合わせ部及び第２の位置合わせ部は、前記患者頭部において前記刺入方向に沿った位置に設定されている第１のポイント及び第２のポイントにそれぞれ位置合わせ可能に構成されている、頭部手術補助器具。
【請求項２】
前記第１の位置合わせ部及び第２の位置合わせ部には、緩衝材が設けられている、請求項１に記載の頭部手術補助器具。
【請求項３】
前記光学装置は、前記第１の方向の一端側に前記第１の位置合わせ部を有し、かつ、前記第１の方向の他端側から前記光線を出射可能に構成されている、請求項１又は２に記載の頭部手術補助器具。
【請求項４】
前記光学装置は、前記ベースに対して、前記第１の方向にスライド可能に構成されている、請求項３に記載の頭部手術補助器具。
【請求項５】
前記光学装置は、レーザーポインターである、請求項１から４のいずれか一項に記載の頭部手術補助器具。
【請求項６】
前記脳室穿刺は、水頭症治療時の脳室心房短絡術（ＶＡシャント術）又は脳室腹腔短絡術（ＶＰシャント術）の際に行われる、請求項１から５のいずれか一項に記載の頭部手術補助器具。
【手続補正２】
【補正対象書類名】明細書
【補正対象項目名】００１０
【補正方法】変更
【補正の内容】
【００１０】
本発明の一態様に係る頭部手術補助器具は、患者頭部に対して当該頭部手術補助器具をセットするための開口部を有するベースと、ベースに設けられた光学装置であって、患者頭部への脳室穿刺における刺入方向の目印のための光線を前記ベースの外側に向けて第１の方向に出射する光学装置と、開口部を存して第１の方向において互いに対向して配置された第１の位置合わせ部及び第２の位置合わせ部と、を備え、第１の位置合わせ部及び第２の位置合わせ部は、患者頭部において刺入方向に沿った位置に設定されている第１のポイント及び第２のポイントにそれぞれ位置合わせ可能に構成されている。